Podtech/llm-jp-corpus-v4-ja_patent huggingface dataset:
(57)【要約】  本発明は、変形タオルケットを提供する。該タオルケットは、本体部を有し、タオルケットの両端に挟み層（二重構造）が設けられ、その一方の挟み層の端部に開口部が設けられ、開口部のある挟み層を裏返して、袋体を形成し、本体部の一方の端から袋状端まで巻いて柔軟な円筒体を形成し、当該円筒体が上記袋体に収納できる。更に連結ピンと連結ボタンを連結し、首枕に形成できる。本発明の変形タオルケットは、従来技術より様々な機能を持ち、携帯性に優れて使いやすい。【選択図】図1
2016507289.tif 000002
【特許請求の範囲】
【請求項１】
変形タオルケットであって、本体部を有し、
少なくとも本体部の一つの端部に挟み層が設けられ、少なくとも一つの挟み層に開口部が設けられ、
前記開口部の一つ内面の一つ縁に連結具が設けられ、当該内面の他方の縁に連結具と脱着可能な連結ボタンが設けられ、
開口部を有する挟み層を裏返し、袋体を形成し、
本体部の一方の端から袋状端まで巻いて柔軟な円筒体を形成し、当該円筒体が上記袋体に収納されること、
を特徴とする変形タオルケット。
【請求項２】
前記本体部の両端に挟み層が設けられ、その一方の挟み層の端部に開口部を設け、
開口部を有する挟み層を裏返して、袋体を形成し、
本体部の一方の端から袋状端まで巻いて柔軟な円筒体を形成し、当該円筒体が上記袋体に収納でき、
前記連結具及び前記接続ボタンは、袋体の外表面側に設けられ、二者を結合する場合、袋体に収納された円筒体がアーチ型収納部となること、
を特徴とする請求項1に記載の変形タオルケット。
【発明の詳細な説明】
【技術分野】
【０００１】
本発明は、変形タオルケットに関し、具体的には、首枕又はマフラーに形（形状、形態）を変えられるタオルケットに関するものである。
【背景技術】
【０００２】
従来、タオルケット、マフラー及び首枕は、そもそも全く別個の三つの日用品である。外出する際に必要に応じて当該三つの日用品を全て持参する必要があることもあり得るが、実は三つとも同時に使う場合は少ない。そのため、そのうちの一つ又は二つは、使用していないため、余計なものとなり、使用者にとっては大変不便な場合が多い。
【発明の概要】
【０００３】
本発明は、これらの欠点を克服するためになされたものであり、タオルケット、マフラー、又は首枕として使い分けでき、携帯性に優れて使いやすい形に変形できるタオルケット（タオル）を提供することを課題とする。
【０００４】
上記課題を解決するために、本発明は、
本体部を有し、少なくとも本体部の一つの端部に挟み層（二重構造）が設けられ、少なくとも一つの挟み層が開口部を有し、上記開口部を有する挟み層の一つの内面の一つの縁に連結具が設けられ、当該内面のもう一つの縁に連結具と脱着可能な連結ボタンが設けられ、開口部を有する挟み層を裏返して袋体を形成し、本体部の一方の端から袋状端まで巻いて柔軟な円筒体に形成し、当該円筒体を上記袋体に収納できる、変形タオルケットを提供する。
【０００５】
更に、本体部の両端とも挟み層（二重構造）が設けられ、その一方の挟み層の端部に開口部が設けられ、開口部を有する挟み層を裏返して、袋体を形成し、本体部の一方の端から袋状端まで巻いて柔軟な円筒体を形成し、当該円筒体を上記袋体に収納でき、上記連結具及び上記接続ボタンは、袋体の外表面側に設けられ、結合する場合、袋体に収納された円筒体がアーチ型収納部となる。
【０００６】
本発明は、タオルケットの両端に挟み層（二重構造）が設けられ、その一方の挟み層の端部に開口部が設けられ、開口部のある挟み層を裏返して、袋体を形成し、本体部の一方の端から袋状端まで巻いて柔軟な円筒体を形成し、当該円筒体が上記袋体に収納でき、更に連結ピンと連結ボタンを連結し、首枕に形成できる。また、本体部を数回折り畳むことにより、マフラーに形成できる。本発明の変形タオルケットは、従来技術より様々な機能を持ち、携帯性に優れて使いやすい。
【図面の簡単な説明】
【０００７】
【図１】本発明の変形タオルケット本体部が首枕に変形する状態を示す図である。
【図２】本発明の変形タオルケットの本体部がマフラーに変形する状態を示す図である。
【発明を実施するための形態】
【０００８】
以下、本発明を、当業者により理解しやすくするため、図面を参照しながら、本発明の実施形態を詳しく説明する。
【０００９】
図1に示すように、このタオルケットは、本体部１を有している。本体部の両端に挟み層100が設けられ、その一方の挟み層の端部に開口100aが設けられている。開口部の挟み層を裏返して、袋体2を形成し、本体部の一方の端から袋状端まで巻いて柔軟な円筒体3を形成し、当該円筒体を上記袋体に収納できる。更に挟み層内表面に設けられた連結ピンと連結ボタンは、袋体2の外表面に露出し、両者を結合する場合、袋体に収納される円筒体がアーチ型収納部6となり、首枕として使えるようになっている。一般的な連結具として、連結ピン4と連結ボタン5の代わりに、ボタンやファスナーなどを利用することもできる。
【００１０】
図2に示すように、本体部1を数回折り畳むことにより、マフラーに形成でき、マフラーとして使用することができる。
尚、上記実施態様は、本発明の一実施形態にすぎず、本発明の知見に基づいて当業者の技術常識および使用者の知識に基づいて種々の変更、改良を加えた態様で実施することができるが、これらの変更改良等は本発明の範囲に含まれることはいうまでもない。
【図１】
2016507289.tif 000003
【図２】
2016507289.tif 000004
【国際調査報告】
2016507289.tif 000005
2016507289.tif 000006
2016507289.tif 000007
(57)【要約】多形態のバックパックは、解除可能な第１の接続手段（６ａ）と、連結手段（４，７）を有する一対の肩ストラップ（３）とを備える背部（１）と、前記背部（１）との合体のために前記第１の接続手段（６ａ）に対して相補的な第２の接続手段（６ｂ）をそれぞれ有すると共に、前記連結手段（４，７）を前記肩ストラップ（３）に接続するための締結要素（５，８）を備える、形状と形態が異なり、選択的に相互に交換可能な種々の可撓性本体（２，２ａ，２ｂ）とを備える。
2016517761.tif 000002
【特許請求の範囲】
【請求項１】
解除可能な第１の接続手段（６ａ）と、連結手段（４，７）を有する一対の肩ストラップ（３）とを備える背部（１）と、前記背部（１）との合体のために前記第１の接続手段（６ａ）に対して相補的な第２の接続手段（６ｂ）をそれぞれ有すると共に、前記連結手段（４，７）を前記肩ストラップ（３）に接続するための締結要素（５，８）を備える、形状と形態が異なり、選択的に相互に交換可能な種々の可撓性本体（２，２ａ，２ｂ）とを備える、バックパック。
【請求項２】
前記第１及び第２の接続手段（６ａ，６ｂ）は、ファスナー、スナップフィットバックル、ホック、マイクロフックストリップ等から選択されていることを特徴とする、請求項１に記載のバックパック。
【発明の詳細な説明】
【技術分野】
【０００１】
本発明は、典型的には可撓性材料からなり、使用者による搬送のための肩ストラップを有する本体を備えるタイプのバックパックに関する。
【背景技術】
【０００２】
出願人による成功裏に製造及び販売されているものを含む、いくつかの既知のバックパックでは、肩ストラップは本体に対して部分的にあるいはさらに完全に分離されている。例えば、欧州特許出願ＥＰ−Ａ−２１５５０１３の場合、肩ストラップは、リバーシブルである本体の異なる２種類の互いに逆の形態の一方や他方に対応する連結手段に対する迅速連結要素を備える。使用者は、本体の一方又は他方の形態を選択してバックパックを使用することができるが、本体の形態は基本的に美的外観のみが互いに異なる。
【発明の概要】
【発明が解決しようとする課題】
【０００３】
実用的、機能的、かつ比較的安価に製造可能な、広範囲に異なるバックパックの形態を使用者が利用可能とすることを目的とする。
【課題を解決するための手段】
【０００４】
本発明によれば、この目的は、解除可能な第１の接続手段と、連結手段を有する一対の肩ストラップとを備える背部と、前記背部との合体のために前記第１の接続手段に対して相補的な第２の接続手段をそれぞれ有すると共に、前記連結手段を前記肩ストラップに接続するための締結要素を備える、形状と形態が異なり、選択的に相互に交換可能な種々の可撓性本体とを備える、多形態のバックパックによる達成される。
【０００５】
この解決手段により、バックパックの使用者は、肩ストラップを有する背部を交換せずに維持しつつ、見た目ないし外観上のデザインに関してだけでなく、例えば、内部空間の区画の相違、外部ポケットの有無のような機能要素に関して、１以上の異なる本体へと本体を容易に交換できる。
【０００６】
背部の第１の接続手段と、異なる可撓性本体の第２の接続手段とは、ファスナー、スナップフィットバックル、ホック、マイクロフックストリップ等から選択できる。
【０００７】
非限定的な例示である添付図面を参照して、本発明をさらに詳細に説明する。
【図面の簡単な説明】
【０００８】
【図１】本発明に係る多形態のバックパックの第１の可能な形態を示す正面斜視図。
【図２】図１の背面分解斜視図。
【図３】本発明に係る多形態のバックパックの異なる個々の形態を例示する、図２と同様の図。
【図４】本発明に係る多形態のバックパックの異なる個々の形態を例示する、図２と同様の図。
【発明を実施するための形態】
【０００９】
最初に図１及び図２を参照すると、本発明に係るバックパックは、基本的に、互いに分離可能な２つの要素、すなわち単一の部品を構成する背部１と、本発明の特徴的な側面によれば、外観及び／又は機能の観点で異なる種々の形状及び形態が利用可能なかつ選択機能である、可撓性本体２とを備える。
【００１０】
例えば、パッド付きで可撓性、ないしは比較的柔軟なシートからなる背部１は、背部１の頂部に一端部が好適には永久的に固定された一対の肩ストラップ３を備え、肩ストラップ３は、反対側端部に、例えば弾性のスナップフックからなり可撓性本体２の下部に設けられた対応するリング５に取り付け可能な連結手段４を備える。
【００１１】
背部２と可撓性本体２は、図示の例では一対の閉じたファスナーであり、その部品６ａ，６ｂはそれぞれ背部１の側部に沿って側部に沿って設けられ、可撓性本体２の背壁の対向する側部に設けられている。接続方法は、互いに係合するスナップファスナー、ホック、マイクロフックストリップ等を代替的に構成し得る。
【００１２】
背部１と可撓性本体２との連結をさらに保証するために、例えば、それぞれ肩ストラップ３の上部領域と可撓性本体２の頂部に設けられた雄雌締結のスナップバックル７，８からなる他の解除可能な合体要素を設けてもよい。
【００１３】
上述のように、背部１は肩ストラップ３と一体化された部品を構成し、肩ストラップ３は市場で入手可能となった複数の異なる可撓性本体に適用でき、異なる可撓性本体は分的には外観で、部分的には機能形態で互いに区別可能である。図１及び２の実施形態に表され、図３及び図４において２ａ及び２ｂでそれぞれ示されている可撓性本体２の例は、外側ポケットの有無と、内部容積の配分を異ならせ得る可撓性本体内のアクセス開口とに関し、機能的特徴の相違を明確に示している。
【００１４】
構造の詳細と実施形態とは、請求の範囲で規定された本発明の範囲から離れることなく、記載及び図示のものについて広範に変更し得る。
【符号の説明】
【００１５】
１  背部
２  可撓性本体
３  肩
４  連結手段
５  リング
【図１】
2016517761.tif 000003
【図２】
2016517761.tif 000004
【図３】
2016517761.tif 000005
【図４】
2016517761.tif 000006
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
解除可能な第１の接続手段（６ａ）を有する背部（１）と、前記背部（１）との合体のために前記第１の接続手段（６ａ）に対して相補的な第２の接続手段（６ｂ）をそれぞれ有し、形状と形態が異なり、選択的に相互に交換可能な種々の可撓性本体（２，２ａ，２ｂ）とを備え、前記背部（１）は一対の肩ストラップ（３）を有し、個々の前記肩ストラップ（３）は、一端部が前記背部（１）の頂部に永久的に接合され、個々の前記可撓性本体（２，２ａ，２ｂ）の頂部に設けられた個々の合体要素（８）に解除可能に接続するための上側締結要素（７）を上部領域に備え、個々の前記可撓性本体（２，２ａ，２ｂ）の下部領域に設けられた対応するリング（５）に取り付け可能な連結フック（４）を反対側端部に備えることを特徴とする、バックパック。
【国際調査報告】
2016517761.tif 000007
2016517761.tif 000008